(57)【要約】【課題】室内機外観においてセンサカバーを意匠構成要素の一部とすることで機能的な効果を連想させ、室内に据付けられる室内機全体としての意匠性の向上と人検知機能の両立する。【解決手段】空気吸込み口及び空気吹出し口を有する筐体と、前記筐体内に配置された熱交換器と、室内空気を前記空気吸込み口より吸込み、前記熱交換器を通してから前記空気吹出し口より吹出す送風ファンと、前記送風ファンの吹出し風路に設けた左右風向板と、同じく上下風向板と、赤外線センサを備えた空気調和機において、該赤外線センサは筐体の左右方向ほぼ中央部の空気吸込み口と空気吹出し口の間に、その受光面が上下風向板の吹出し風路から筐体の外に出る部分より前方且つ上方になる如く配置され、該赤外線センサを覆うセンサカバーを意匠構成要素の一部として設け、且つ該センサカバーの色を周囲の意匠構成要素部品の色に対して色調，明度，彩度，輝度を変えた。【選択図】  図１５
2010190528.tif 000002
【特許請求の範囲】
【請求項１】
空気吸込み口及び空気吹出し口を有する筐体と、前記筐体内に配置された熱交換器と、室内空気を前記空気吸込み口より吸込み、前記熱交換器を通してから前記空気吹出し口より吹出す送風ファンと、前記送風ファンの吹出し風路に設けた左右風向板と、同じく上下風向板と、赤外線センサを備えた空気調和機において、該赤外線センサは筐体の左右方向ほぼ中央部の空気吸込み口と空気吹出し口の間に、その受光面が上下風向板の吹出し風路から筐体の外に出る部分より前方且つ上方になる如く配置され、該赤外線センサを覆うセンサカバーを意匠構成要素の一部として設け、且つ該センサカバーの色を周囲の意匠構成要素部品の色に対して色調，明度，彩度，輝度を変えたことを特徴とする空気調和機。
【請求項２】
請求項１の空気調和機において、前記赤外線センサの視野が上下風向板により妨げられない位置に配置されていることを特徴とする空気調和機。
【請求項３】
請求項２の空気調和機において、前記赤外線センサの視野が空気調和機の前方と後方に跨る如くに配置されていることを特徴とする空気調和機。
【請求項４】
請求項３の空気調和機において、空気調和機前方の前記赤外線センサの視野が空気調和機後方の該赤外線センサの視野より広いことを特徴とする空気調和機。
【請求項５】
請求項４の空気調和機において、上下風向板の操作により少なくとも一部の風向を後方斜め下方に向けることができることを特徴とする空気調和機。
【請求項６】
請求項５の空気調和機において、少なくとも一枚の上下風向板を後方斜め下方に向けることができることを特徴とする空気調和機。
【請求項７】
請求項６の空気調和機において、上下風向板を複数備え、後方の上下風向板の翼長が前方の上下風向板の翼長より短いことを特徴とする空気調和機。
【請求項８】
請求項７の空気調和機において、後方の上下風向板の上方に少なくとも左右風向板の一部が配置されることを特徴とする空気調和機。
【発明の詳細な説明】
【技術分野】
【０００１】
本発明は赤外線センサを搭載した空気調和機に関する。
【背景技術】
【０００２】
空気調和機は室内空気を熱交換器に循環させて、加熱，冷却，除湿機能などにより調整し、これを室内に吹出すことにより室内を空気調和する。このとき、在室者の位置に空気調和された気流を送ることができれば、在室者が一々煩わしい操作しなくてすみ、在室者の満足度が高まると共に、在室者の周囲のみを快適にするので空気調和機の省エネを図ることができる。
【０００３】
そのひとつとして、空気調和機に赤外線センサを搭載し、在室者の位置を検知し、在室者の位置に応じて風向，風量，冷房暖房能力などを増減する方法が考えられ、これを具現化するために種々の工夫が凝らされている。この種の従来技術として、特許４１４１０３８号公報，特許４１３００４７号公報，特許３８２９６０３号公報，特開平１０−３００１６５号公報，特開２００８−１０１８９３号公報が知られている。
【０００４】
特許文献１は１つの人感センサを吹出し口上部の左右中央に設け、この人感センサの出力を空調運転に加味するか否かを選択するおまかせスイッチをリモートコントローラに設ける。
【０００５】
これにより、人感センサを用いて自動運転制御を実行可能とし、空気調和機の使用性を向上させる空気調和機について述べている。
【０００６】
特許文献２は２つの人感センサを吹出し口上部に左右対称に設け、左右フラップの方向が、人感センサが向く方向の何れかと略一致する場合には、略一致しない方の人感センサの検出結果のみを用いて人がいるか否かの判断を行う。
【０００７】
これにより、複数の人感センサを用いて省エネ運転を行う場合の誤作動を低減する空気調和機について述べている。
【０００８】
特許文献３は１つのセンサＣＡＮを吹出し口上部の左右中央に設け、このセンサＣＡＮの中に検出対象物から放射される赤外線量に応じた出力を得る積層熱電対と、検出対象物から入射される赤外線量に応じた積層熱電対出力の基準温度となるセンサ周囲温度を検出するサーミスタの二つのセンサを設置して、センサ内蔵構造とする。
【０００９】
これにより、精度良く検出対象物の絶対温度を算出する空気調和機について述べている。
【００１０】
特許文献４はＣＣＤカメラや人工網膜チップを空気調和装置の前側下部の左右中央に設け、什器などの存在物の方向を険出し、什器を避けたり、越えさせたりといった風制御を行い、使用者に不快感を与えることを少なくし、また冷暖房の効率を上げる空気調和装置について述べている。
【００１１】
特許文献５は５つの人体検知センサを前面パネル上部に左右対称に設け、人がいる頻度に応じて各領域の領域特性を設定し、所定時間の人体検知センサの反応結果に応じて人の存在を示す判定条件を各領域特性に設定し、設定された判定条件に応じて各領域における人の在否を推定する。
【００１２】
これにより、複数の人体検知センサを使用して空調すべき領域における人の位置を的確に推定して空調運転を効率よく行うことができる人の位置推定方法及び該方法を採用した空気調和機について述べている。
【先行技術文献】
【特許文献】
【００１３】
【特許文献１】特許４１４１０３８号公報
【特許文献２】特許４１３００４７号公報
【特許文献３】特許３８２９６０３号公報
【特許文献４】特開平１０−３００１６５号公報
【特許文献５】特開２００８−１０１８９３号公報
【発明の概要】
【発明が解決しようとする課題】
【００１４】
空気調和機などの家電品は人検知機能などの新機能を如何にお客様に判りやすく訴求してゆくかが重要となっている。また、人検知センサは高価なため、少ない数の人検知センサで室内のより広い範囲を検知することが求められている。
【００１５】
特許文献１では前後方向の視野が図示されているが、視野は前方のみに設けられていて、背面方向の視野については図示も言及も無く、上下風向板との位置関係についての言及も為されていない。
【００１６】
特許文献２では左右方向の視野は図示されているが前後方向の視野についての言及は無く、上下風向板との位置関係についての言及も為されていない。
【００１７】
特許文献３では前後方向の視野についての言及があるが、その視野は直下から前方に限られていて、背面方向の視野は意図的に回避され、また、上下風向板との位置関係についての言及も為されていない。
【００１８】
特許文献４では背面壁までを視野とする図示があるが、センサと風向板との位置関係などについての言及は無い。
【００１９】
特許文献５では前後方向の視野が上下風向板で阻害される範囲を小さくする工夫が述べられているが、その視野は前方に限定されていて、背面方向の視野についての言及は無い。
【００２０】
本発明の目的は、省資源に適いつつ、煩わしい操作なしに、在室者を快適にすることができる人検知機能を搭載した空気調和機を提供することにある。
【００２１】
本発明が解決しようとする課題は、室内機外観においてセンサカバーを意匠構成要素の一部とすることで機能的な効果を連想させ、室内に据付けられる室内機全体としての意匠性の向上と人検知機能の両立を図った空気調和機を提供することにある。
【課題を解決するための手段】
【００２２】
本発明が解決しようとする課題は、空気吸込み口及び空気吹出し口を有する筐体と、前記筐体内に配置された熱交換器と、室内空気を前記空気吸込み口より吸込み、前記熱交換器を通してから前記空気吹出し口より吹出す送風ファンと、前記送風ファンの吹出し風路に設けた左右風向板と、同じく上下風向板と、赤外線センサを備えた空気調和機において、該赤外線センサは筐体の左右方向ほぼ中央部の空気吸込み口と空気吹出し口の間に、その受光面が上下風向板の吹出し風路から筐体の外に出る部分より前方且つ上方になる如く配置され、該赤外線センサを覆うセンサカバーを意匠構成要素の一部として設け、且つ該センサカバーの色を周囲の意匠構成要素部品の色に対して色調，明度，輝度を変えたことにより達成される。
【００２３】
請求項２に記載の空気調和機は請求項１の空気調和機において、前記赤外線センサの視野が上下風向板により妨げられない位置に配置されているものである。
【００２４】
請求項３に記載の空気調和機は請求項２の空気調和機において、前記赤外線センサの視野が空気調和機の前方と後方に跨る如くに配置されているものである。
【００２５】
請求項４に記載の空気調和機は請求項３の空気調和機において、空気調和機前方の前記赤外線センサの視野が空気調和機後方の該赤外線センサの視野より広いものである。
【００２６】
請求項５に記載の空気調和機は請求項４の空気調和機において、上下風向板の操作により少なくとも一部の風向を後方斜め下方に向けることができるものである。
【００２７】
請求項６に記載の空気調和機は請求項５の空気調和機において、少なくとも一枚の上下風向板を後方斜め下方に向けることができるものである。
【００２８】
請求項７に記載の空気調和機は請求項６の空気調和機において、上下風向板を複数備え、後方の上下風向板の翼長が前方の上下風向板の翼長より短いものである。
【００２９】
請求項８に記載の空気調和機は請求項７の空気調和機において、後方の上下風向板の上方に少なくとも左右風向板の一部が配置されるものである。
【発明の効果】
【００３０】
請求項１に記載の発明によれば、室内機外観においてセンサカバーを意匠構成要素の一部とすることで機能的な効果を連想させ、室内に据付けられる室内機全体としての意匠性の向上と人検知機能の両立を訴求する効果がある。
【００３１】
請求項２によれば、空気調和機の間近に居ても、煩わしい操作が無く、快適な空調を享受できる。
【００３２】
請求項３によれば、空気調和機の間近に居ても、煩わしい操作が無く、快適な空調を享受できる。
【００３３】
請求項４によれば、壁掛型に好適な人検知センサの配置となる。
【００３４】
請求項５によれば、室内の空調の死角が少なくなる。
【００３５】
請求項６によれば、室内の空調の死角が少なくなる。
【００３６】
請求項７によれば、空気調和機の前方と後方の送風量のバランスが良くなる。
【００３７】
請求項８によれば、左右風向の偏向がより確実になって、充実した室内の空調が行われる。
【図面の簡単な説明】
【００３８】
【図１】実施例の空気調和機の構成図。
【図２】同空気調和機の室内機の断面図。
【図３】同室内機の冷房・除湿運転時の断面図。
【図４】同室内機の暖房運転時の断面図。
【図５】室内機の外観斜視図。
【図６】同室内機に内蔵された赤外線検知装置の構成図。
【図７】同検知装置のフレネルレンズ配置図。
【図８】同検知装置の検知範囲図。
【図９】同検知装置の外観図。
【図１０】同検知装置による検知区域図。
【図１１】同検知装置の回路構成図。
【図１２】人検知センサの検知領域区分図。
【図１３】鉛直面で見た人検知センサの検知領域図。
【図１４】室内機の正面外観図。
【図１５】室内機の内部配置図。
【図１６】人検知センサ部拡大図。
【図１７】空気調和機に近い領域への吹降ろし風向図。
【図１８】実施例２の人検知センサの検知領域区分図。
【図１９】鉛直面で見た実施例２の人検知センサの検知領域図。
【図２０】実施例３の空気調和機による近い領域への吹降ろし風向図。
【図２１】実施例４の空気調和機による近い領域への吹降ろし風向図。
【発明を実施するための形態】
【００３９】
本発明の実施例について、図面を用いて説明する。
【実施例１】
【００４０】
以下、本発明の実施例について図を用いて説明する。図における同一符号は同一物または相当物を示す。
【００４１】
まず、空気調和機の全体構成について図１〜図４を用いて説明する。図１は実施例の空気調和機の構成図である。図２は空気調和機の室内機の断面図である。図３は室内機の冷房・除湿運転時の断面図である。図４は室内機の暖房運転時の断面図である。
【００４２】
空気調和機１は、室内機２と室外機６とを接続配管８で繋ぎ、室内を空気調和する。室内機２は、筐体ベース２１の中央部に室内熱交換器３３を置き、熱交換器３３の下流側に熱交換器３３の幅と略等しい長さの横流ファン方式の室内送風ファン３１１を配置し、露受皿３５等を取り付け、これらを化粧枠２３で覆い、化粧枠２３の前面に前面パネル２５を取り付けている。この化粧枠２３には、室内空気を吸い込む空気吸込み口２７と、温湿度が調整された空気を吹出す空気吹出し口２９とが上下に設けられている。室内熱交換器３３の空気流下流には室内送風ファン３１１が設けられ、室内送風ファン３１１が回転すると室内空気が室内機２に設けられた空気吸込み口２７から室内熱交換器３３，室内送風ファン３１１を通って室内送風ファン３１１の長さに略等しい幅を持つ吹出し風路２９０に流れ、吹出し風路２９０途中に配した左右風向板２９５で気流の左右方向を偏向され、更に、吹出し口２９に配した上下風向板２９１で気流の上下方向を偏向されて室内に吹出す。
【００４３】
筐体ベース２１には、室内送風ファン３１１，フィルタ２３１，室内熱交換器３３，露受皿３５，上下風向板２９１，左右風向板２９５等の基本的な内部構造体が取り付けられ、これらの基本的な内部構造体は、筐体ベース２１，化粧枠２３，前面パネル２５からなる筐体２０に内包され室内機２を構成する。
【００４４】
また、前面パネル２５の下部一側には、運転状況を表示する表示装置３９７と、別体のリモコン５からの赤外線の操作信号を受ける受光部３９６とが配置されている。
【００４５】
化粧枠２３の下面に形成される空気吹出し口２９は、前面パネル２５との分割部に隣接して配置され、奥の吹出し風路２９０に連通している。上下風向板２９１は、空気吹出し口２９の横幅いっぱいに設けられ、閉鎖状態で、吹出し風路２９０をほぼ隠蔽し、外面となる外側風向面を滑らで曲率の大きい曲面にして空気調和機の外形に合致させる。このようにすることにより、上下風向板２９１は外面となる風向面で空気調和機の前面から底面にかけての外形を連続的に滑らかに形成することができる。この上下風向板２９１は、両端部に設けた回動軸を支点にして、リモコン５からの指示に応じて、上下風向板駆動モータ（図示せず）により空気調和機１の運転時に所要の角度回動して空気吹出し口２９を開き、吹出し空気を下吹出し、あるいは水平吹出しなどに偏向し、その状態に保持する。空気調和機１の運転停止時には、この上下風向板２９１は空気吹出し口２９を閉じるように制御される。
【００４６】
このため、空気調和機を使用しないとき、空気調和機の外観は不必要な凹凸の無い、柔らかな落ち着いた形状となり、室内の雰囲気を乱すことがない。
【００４７】
この空気吹出し口２９の上方の左右方向ほぼ中央に後述する赤外線検知装置１４が隣接して設けられている。
【００４８】
左右風向板２９５は、下端部に設けた回動軸を支点にして駆動モータにより回動され、リモコン５からの指示に応じて回動されてその状態に保持される。これによって、吹出し空気が左右の所望の方向に吹出される。なお、リモコン５から指示することにより、空気調和機１の運転中に上下風向板２９１，左右風向板２９５を周期的に揺動させ、室内の広範囲に周期的に吹出し空気を送ることもできる。
【００４９】
室内機２は、内部の電装品ボックスに制御基板を備え、この制御基板にマイコンが設けられる。このマイコンは、室内温度センサ，室内湿度センサ等の各種のセンサからの信号を受けると共に、リモコン５からの操作信号を受光部３９６を介して受ける。このマイコンは、これらの信号に基づいて、室内送風ファン３１１，上下風向板駆動モータ，左右風向板駆動モータ等を制御すると共に、室外機６との通信を司り、室内機２を統括して制御する。
【００５０】
フィルタ２３１は、吸い込まれた室内空気中に含まれる塵埃を取り除くためのものであり、室内熱交換器３３の吸込側を覆うように配置されている。露受皿３５は、室内熱交換器３３の前後両側の下端部下方に配置され、冷房運転時や除湿運転時に室内熱交換器３３に発生する凝縮水を受けるために設けられている。受けて集められた凝縮水はドレン配管３７を通して室外に排出される。
【００５１】
空気調和機を冷房運転する時には図３のように上下風向板２９１は吹出し風路２９０の上壁２９０ａ，下壁２９０ｂと略平行な姿勢や水平な向きにして使用される。また、吹出された冷風が直接、在室者に当って不快感を生じさせる場合は、適宜、上下風向板２９１や左右風向板２９５の方向をリモコン５で変更し、在室者の周囲を快適な温湿度に保つ。
【００５２】
空気調和機を暖房運転する時には、上下風向板２９１は図４のようにほぼ垂直に近い姿勢にして使用される。このようにすることにより、吹出し風路２９０を流れる温風は空気調和機から下方に向かって吹出し、床面近くまで到達し、足もと近くを暖め、室内を快適な環境にする。
【００５３】
次に、本発明の空気調和機が搭載している赤外線センサについて図５〜図１１を用いて説明する。図５は室内機の外観斜視図である。図６は室内機に内蔵された赤外線検知装置の構成図である。図７は検知装置のフレネルレンズ配置図である。図８は検知装置の検知範囲図である。図９は検知装置の外観図、（ａ）は平面図、（ｂ）は正面図、（ｃ）は側面図、（ｄ）は取付状態側面図である。図１０は検知装置による検知区域図である。図１１は検知装置の回路構成図である。
【００５４】
一般に、空気調和機に人検知装置を取り付ける場合、その主たる目的は在室者が居ない時に空気調和機を省エネ運転または、停止し、在室者が少ない時には、その少ない人に向けて風を送るなどの専用運転をして省エネを図ると共に人の移動に伴う煩わしい操作を回避することである。
【００５５】
これを実現するため、焦電型の赤外線センサなどを使用した人検知センサを複数個つけて、室内を複数の領域に区分し、在室者が空気調和機から見てどの位置に居るかを検知するようにしている。この場合、人検知センサの検知区域の間に非検知領域ができないように、人検知センサの検知区域が互いに重なるように設置することが行われている。
【００５６】
このとき、人検知センサを取り付けたことによる機能のアップを使用者に伝える必要があるが、家電品に使用されるような安価に調達できる人検知センサの検知精度は、多くは検知反応を統計的に処理して人の在否を推定しているため、その過程を判り易く伝えるのは困難を伴う。しかし、環境保護のためにも、人検知センサを使用した省エネ機能は有効であるため、詳細な機能の説明は後に譲るとして、人検知機能が搭載されていることを訴求することが重要となる。
【００５７】
実施例では図５のように赤外線検知装置１４を前述の如く、空気吹出し口２９の上方の左右方向ほぼ中央に空気吹出し口２９に隣接して設けた。
【００５８】
赤外線検知装置１４は、図６に示すように赤外線センサ４１０を台座４１５を介して、基板４１６に搭載しフレネルレンズ４１７を被せ、これを左右に配して図９のように構成する。
【００５９】
赤外線センサ４１０は平滑な受光面４１１を持ち、受光面４１１の対向する方向が主検知方向となり、受光面４１１の中心から主検知方向に向かう中心軸４１２は検知感度が最も良好な方向となり、その周りに検知感度の良好な検知範囲が広がる。
【００６０】
左右の赤外線センサ４１０ａ，４１０ｃは各前記台座４１５により、中心軸４１２の方向が異なるように図９（ａ）の拡がり角Ｄを有する如く搭載され、当然その主検知方向も異なるため、図８のように広角に検知範囲を構成でき、さらに赤外線検知装置１４を図９（ｄ）のように俯角Ｅをもって実装することにより、室内床面の大半をその視野内に収めることができる。実施例では拡がり角Ｄを６０度、俯角Ｅを３６度に設定した。
【００６１】
フレネルレンズ４１７は図７に示すように半球面を成す如く成型され、半球面は複数のセグメントに分割され、各セグメントには室内の特定の方向から来る赤外線を半球面の中心部に集めるように小フレネルレンズが形成されていて、この半球面の中心部に赤外線センサ４１０の受光面４１１が配置されるように構成されている。
【００６２】
この小フレネルレンズが赤外線を集光する方向を、人が座った時の顔の高さ付近の床と平行な面で示すと図１０のような検知スポットの分布になり、この範囲を人が移動していくつかの検知スポットを出入りすると赤外線センサ４１０がこれを検知する。実施例では、家庭の室内で使われることを想定し、赤外線センサ４１０から６ｍ離れた位置でのひとつの検知スポットの大きさが凡そ人体の大きさと同等（幅０.３〜０.５ｍ，高さ１.６〜１.８ｍ）になるように設定した。
【００６３】
実施例では赤外線センサ４１０として、焦電型の赤外線センサを用いる。赤外線検知装置１４は図１１に示すように左人検知センサ１４０ａと右人検知センサ１４０ｃと演算制御部１３２からなり、左右の人検知センサ１４０ａ，１４０ｃは赤外線センサ４１０ａ，４１０ｃ，赤外線センサ４１０ａ，４１０ｃの出力を増幅する増幅器１３０、人の動きを抽出する帯域フィルタ、その出力をデジタル信号へと変換するコンパレータ１３１や前述の台座４１５，フレネルレンズ４１７などから構成されている。
【００６４】
一般に、人が覚醒している時には、生理的に静止し続けることはできず、数分の中で意識的にあるいは無意識のうちに手，脚，顔など体の一部を動かしている。
【００６５】
人検知センサ１４０ａ，１４０ｃ内の赤外線センサ４１０ａ，４１０ｃはこの動きを検知し、信号を出力する。赤外線センサ４１０ａ，４１０ｃからの出力は人検知センサ１４０ａ，１４０ｃで、演算制御部１３２での処理に適した形態に変換されて演算制御部１３２に読み込まれ、演算処理の結果に応じて、空気調和機の能力，風向などの制御が行われる。
【００６６】
上記のように、赤外線検知装置１４を構成すれば、前記焦電型赤外線センサ４１０ａ，４１０ｃから環境や人体の存在，人体の活動に伴ったアナログ信号が出力され、前記増幅器１３０で増幅され、前記帯域フィルタで人の活動に主として含まれる１Ｈｚ近辺の信号が抽出され、前記コンパレータ１３１により、微小な信号やノイズを除去され、デジタル化された活動パルスに変換される。
【００６７】
活動パルスに変換された信号は前記演算制御部１３２の読み込みポートから前記演算制御部１３２入力され、演算処理される。その結果により、人体が存在すると判断した領域に対し、前記上下風向板２９１，左右風向板２９５を向け、或いは、避けて室内送風ファン３１１によって、調和された空気が送風される。また、人が不在と判断された場合は省エネ運転や運転停止してエネルギーの浪費を回避する。
【００６８】
次に、室内の検知領域区分について図１２，図１３を用いて説明する。図１２は人検知センサの検知領域区分図である。図１３は鉛直面で見た人検知センサの検知領域図である。
【００６９】
赤外線検知装置１４を室内機２に取り付け、この検知区域を簡単のため、床面の高さまで下げて図１２のように表し、上述のように室内を左右の人検知センサ１４０ａ，１４０ｃが単独で検知する検知領域６１０Ａ，６１０Ｃ、左右の人検知センサ１４０ａ，１４０ｃが重複して検知する検知領域６１０ＡＣに区分する。
【００７０】
左人検知センサ１４０ａのみが検知した場合は、検知領域６１０Ａに人体が存在し、右人検知センサ１４０ｃのみが検知した場合は、検知領域６１０Ｃに人体が存在し、左人検知センサ１４０ａと右人検知センサ１４０ｃの両方が検知した場合は、検知領域６１０ＡＣ又は検知領域６１０Ａと６１０Ｃと６１０ＡＣに人体が存在していると推定する。
【００７１】
図１３は図１２の室内を横方向から見て検知領域を表したものであり、４１２は赤外線センサ４１０の中心軸を示し、Ｇ，Ｈは視野の限界を示す視野限界線である。
【００７２】
人検知センサ１４０は空気調和機１の前面で吹出し口２９の上部に隣接して左右方向のほぼ中央部に設けられる。人検知センサ１４０を搭載した基板４１６は図９の（ｄ）のように俯角Ｅを持つように傾斜して、図１６（ａ）のように人検知センサ１４０貫通用の開口２３−１を有する化粧枠２３の内部の構造体に取り付けられ、その前方を赤外線透過性のセンサカバー２２６で覆っている。また、センサカバー２２６は前面パネル２５周囲の額縁様の枠体２５−１を一部切欠いて枠体２５−１から突出し、人検知センサ１４０は図１７のようにその視野限界線Ｇが上下風向板２９１で遮蔽されない位置に設けられる。更に、センサカバー２２６の色は枠体２５−１、前面パネル２５や上下風向板２９１の色とは異なる色に設定する。
【００７３】
このように構成した人検知センサ１４０の取り付け部は、空気調和機１の真正面のほぼ中央のセンサカバー２２６の内側になり、図１４のように空気調和機１を販売店の店頭に展示した時に最も目に入りやすい位置になる。目に入りやすい位置に加えて、センサカバー２２６が枠体２５−１から図１６（ｂ）Ｆのように突出し、更に枠体２５−１等の周囲の意匠構成部品の色と異なっているため、展示された空気調和機１の外観を機能的に演出する。店頭での説明によるなどして人検知センサ１４０が内蔵されていることを知る。このように、お客様自らが疑問を持って能動的に行動して得られた結果はお客様に強い印象を与え、購入機種の選定に効果的に働く。
【００７４】
人検知センサ１４０は在室者の行動を逐一見張るものでは無く、室内の空調負荷の分布を推定して空気調和機１を合理的に運転するものに過ぎないが、使用者によっては人検知センサ１４０の存在を過度に意識する恐れもある。実施例では前面パネル２５、上下風向板２９１の色を乳白色、枠体２５−１の色を銀色として意匠性を高めると共に、センサカバー２２６の色を濃灰色として、枠体２５−１の色と同系統で、前面パネル２５や上下風向板２９１、枠体２５−１の色より色調，明度，彩度，輝度が異なり、かつ周囲の意匠構成要素部品と調和した色に設定する。
【００７５】
このようにすることで、店頭では注意を引きつつも、購入して、据付けた後には、センサカバー２２６の色は枠体２５−１と意匠上で調和した色であるため、枠体２５−１と調和して目立たなくなり、人検知センサ１４０で見張られているという意識になることを軽減する。
【００７６】
一般に、家電品は便利で実用的な機能を搭載した製品が次々と発売されてきている。この様な状況の中でお客様の注目を引き、関心を持って貰わなければ製品の販売に結びつくことは難しい。この傾向は家電量販店で著しく、各社の製品が陳列されている中で、如何にお客様の注目を浴び、関心を持って貰えるかが製品の販売の良否に大きく影響すると考えられる。壁掛け型の空気調和機も普及が進み、この例に漏れず、新しく搭載した新機能を如何にお客様に訴求してゆくかが重要になってきている。
【００７７】
実施例の空気調和機によれば、空気調和機を見たときに前側中央の吹出し口上方に、周囲とは色彩が異なった凸部があるため、関心を持つことで、購入動機のひとつとなることが期待される。
【００７８】
また、実施例の空気調和機は、前記赤外線センサの視野が上下風向板により妨げられない位置に配置されている。
【００７９】
これにより、赤外線センサの視野がその取付姿勢に応じて、上下風向板により妨げられること無く、空気調和機の背面が対向する取付壁側に広がり、人検知センサの検知領域が空気調和機の後方（取付壁側）に広がる。
【００８０】
このため、空気調和機の間近に居ても、煩わしい操作が無く、快適な空調を享受できる空気調和機を提供することができる。
【実施例２】
【００８１】
次に、検知領域を変えた実施例２の空気調和機について図１８，図１９を用いて説明する。図１８は実施例２の人検知センサの検知領域区分図である。図１９は鉛直面で見た実施例２の人検知センサの検知領域図である。
【００８２】
実施例２では人検知センサ１４０の図９（ａ）の広がり角Ｄを３０度、同じく（ｄ）の俯角を５４度にし、他の部分は実施例１と同じにして空気調和機を組立てた。この結果、センサカバー２２６は前面パネル２５周囲の額縁様の枠体２５−１を一部切欠いて枠体２５−１から突出し、人検知センサ１４０もその分、空気調和機の前方に配置できるので、人検知センサ１４０の視野は上下風向板２９１で遮蔽されずに、床面での検知領域は図１８の如くになり、検知範囲が空気調和機の直下から背面壁側に広がり、より広い範囲の在室者を検知できるようになった。この場合の室内を横方向から見た検知領域は図１９のようになり、視野限界線Ｇが背面壁側に拡がっていることがわかる。また、この場合、上下風向板２９１を回動させた時の先端の軌跡は図１８の２点鎖線のようになり、上下風向板２９１によって、人検知センサ１４の視野が妨げられることが無い。
【００８３】
このように、実施例の空気調和機は、前記赤外線センサの視野が空気調和機の前方と後方に跨る如くに配置されている。
【００８４】
また、実施例の空気調和機は、筐体の底面と前面の交差部に、底面の一部をなす上下風向板に隣接して前記赤外線センサを設け、その視野が赤外線センサの位置より前記空気調和機を据付けている壁側に拡がっている。
【００８５】
また、実施例の空気調和機は、該赤外線センサは空気吸込み口と空気吹出し口の間に、その受光面が上下風向板の前方且つ上方に位置して配置され、該赤外線センサの視野が該赤外線センサの直下から背面壁までの領域の少なくとも一部を含んでいる。
【００８６】
また、実施例の空気調和機は、筐体の底面から前面にかけての曲線の最大曲率部近傍に赤外線センサを設け、該赤外線センサをその直下より背面壁方向に拡がる区域の少なくとも一部を視野に納めるように設置する。
【００８７】
これにより、人検知センサの検知範囲が空気調和機の間近まで広がり、今まで、人の在否の認識ができなかった、人が居る可能性の高い、空気調和機に近い領域も、赤外線センサの検知範囲に入り、空気調和機直近に居る人も人検知センサの恩恵を受け、その在否が認識され、その認識に基づいて空気調和機が制御されるので、最低限の操作で快適な空気調和生活を享受できる。
【００８８】
このため、空気調和機の間近に居ても、煩わしい操作が無く、快適な空調を享受できる空気調和機を提供することができる。
【００８９】
また、実施例の空気調和機は、空気調和機前方の前記赤外線センサの視野が空気調和機後方の該赤外線センサの視野より広い。
【００９０】
これにより、壁に取り付けられた空気調和機前方の広い空間に対応して、人検知センサの検知領域を広くするため赤外線センサの空気調和機前方の視野を広く取り、空気調和機後方の狭い空間に対応して、該赤外線センサの空気調和機の後方の視野を狭くする。このようにすることで、空気調和機の前方と後方に対する赤外線センサの視野をバランスよく配分して、赤外線センサを効率良く使用する。
【００９１】
このため、壁掛型に好適な人検知センサの配置となる空気調和機を提供することができる。
【実施例３】
【００９２】
次に、後方に風向変更可能な実施例３の空気調和機について図２０を用いて説明する。図２０は実施例３の空気調和機による近い領域への吹降ろし風向図である。
【００９３】
実施例３では図２０のように上下風向板２９１の風向角度を垂直より更に背面壁側に回転できるように構成し、他の部分は実施例２と同じにして空気調和機を組立てた。この結果、風向を空気調和機の直下から背面壁側まで向けることができるようになり、この領域に居る在室者に対しても快適で省エネになる空調を提供できるようになった。
【００９４】
このように、実施例の空気調和機は、上下風向板の操作により少なくとも一部の風向を後方斜め下方に向けることができる。
【００９５】
これにより、空気調和機を据付けた壁に近いところにも調和空気を送風することができ、壁に近いところに居る人の満足度が上がり、室内の何処に居ても満足できる空調空気を受けることができるようになる。
【００９６】
このため、室内の空調の死角が少なくなる空気調和機を提供することができる。
【００９７】
また、実施例の空気調和機は、少なくとも一枚の上下風向板を後方斜め下方に向けることができる。
【００９８】
これにより、空調空気を空気調和機の後方斜め下方にも送風できるようになり、左右風向板と組み合わせて、空気調和機の据付け壁の近くに居る人にも風が行き渡る。
【００９９】
このため、室内の空調の死角が少なくなる空気調和機を提供することができる。
【実施例４】
【０１００】
次に、後方に一部の気流を分割して風向変更可能な実施例４の空気調和機について図２１を用いて説明する。図２１は実施例４の空気調和機による近い領域への吹降ろし風向図である。
【０１０１】
実施例４では図２１のように上下風向板を複数にし前側の上下風向板２９１で部屋全体の風の循環をはかり、後ろ側に弦長の短い補助上下風向板２９２を設けて空気調和機直下から背面壁の領域に風向を向けることができるように構成し、他の部分は実施例３と同じにして空気調和機を組立てた。実施例３では空気調和機の前方の領域と空気調和機直下から背面壁の領域への空調が要求された時に、これらの要求に同時に応えることは困難であったが、実施例４では空調部屋全体の空調と同時に、空気調和機直下から背面壁の領域の空調も可能になり、使い勝手が格段に向上した。
【０１０２】
このように、実施例の空気調和機は、上下風向板を複数備え、後方の上下風向板の翼長が前方の上下風向板の翼長より短い。
【０１０３】
これにより、前後の上下風向板を独立して制御することで比較的在室者が少ないと考えられる空気調和機の据付け壁の近く領域には短い上下風向板で少量の風を送り、比較的在室者が多いと考えられる空気調和機の前方の領域には長い上下風向板で多量の風を送ることができ、空気調和機の前方と後方の両方に夫々適量の風を送って、在室者間の快適性のバランスをとることができる。
【０１０４】
このため、空気調和機の前方と後方の送風量のバランスが良くなる空気調和機を提供することができる。
【０１０５】
また、実施例の空気調和機は、後方の上下風向板の上方に少なくとも左右風向板の一部が配置される。
【０１０６】
これにより、１枚の上下風向板の時よりも左右風向板の偏向面積が広くなり、風向の偏向がより確実に行われ、室内の空調が充実したものになる。
【０１０７】
このため、左右風向の偏向がより確実になって、充実した室内の空調が行われる空気調和機を提供することができる。
【０１０８】
また、請求項２記載の空気調和機によれば、前記赤外線センサの視野が上下風向板により妨げられない位置に配置されている。
【０１０９】
これにより、赤外線センサの視野がその取付姿勢に応じて、上下風向板により妨げられること無く、空気調和機の背面が対向する取付壁側に広がり、人検知センサの検知領域が空気調和機の後方（取付壁側）に広がる。
【０１１０】
このため、空気調和機の間近に居ても、煩わしい操作が無く、快適な空調を享受できる空気調和機を得ることができる。
【０１１１】
また、請求項３記載の空気調和機によれば、前記赤外線センサの視野が空気調和機の前方と後方に跨る如くに配置されている。
【０１１２】
これにより、人検知センサの検知範囲が空気調和機の間近まで広がり、今まで、人の在否の認識ができなかった、人が居る可能性の高い、空気調和機に近い領域も、赤外線センサの検知範囲に入り、空気調和機直近に居る人も人検知センサの恩恵を受け、その在否が認識され、その認識に基づいて空気調和機が制御されるので、最低限の操作で快適な空気調和生活を享受できる。
【０１１３】
このため、空気調和機の間近に居ても、煩わしい操作が無く、快適な空調を享受できる空気調和機を得ることができる。
【０１１４】
また、請求項４記載の空気調和機によれば、空気調和機前方の前記赤外線センサの視野が空気調和機後方の該赤外線センサの視野より広い。
【０１１５】
これにより、壁に取り付けられた空気調和機前方の広い空間に対応して、人検知センサの検知領域を広くするため赤外線センサの空気調和機前方の視野を広く取り、空気調和機後方の狭い空間に対応して、該赤外線センサの空気調和機の後方の視野を狭くする。このようにすることで、空気調和機の前方と後方に対する赤外線センサの視野をバランスよく配分して、赤外線センサを効率良く使用する。
【０１１６】
このため、壁掛型に好適な人検知センサの配置となる空気調和機を得ることができる。
【０１１７】
また、請求項５記載の空気調和機によれば、上下風向板の操作により少なくとも一部の風向を後方斜め下方に向けることができる。
【０１１８】
これにより、空気調和機を据付けた壁に近いところにも調和空気を送風することができ、壁に近いところに居る人の満足度が上がり、室内の何処に居ても満足できる空調空気を受けることができるようになる。
【０１１９】
このため、室内の空調の死角が少なくなる空気調和機を得ることができる。
【０１２０】
また、請求項６記載の空気調和機によれば、少なくとも一枚の上下風向板を後方斜め下方に向けることができる。
【０１２１】
これにより、空調空気を空気調和機の後方斜め下方にも送風できるようになり、左右風向板と組み合わせて、空気調和機の据付け壁の近くに居る人にも風が行き渡る。
【０１２２】
このため、室内の空調の死角が少なくなる空気調和機を得ることができる。
【０１２３】
また、請求項７記載の空気調和機によれば、上下風向板を複数備え、後方の上下風向板の翼長が前方の上下風向板の翼長より短い。
【０１２４】
これにより、前後の上下風向板を独立して制御することで比較的在室者が少ないと考えられる空気調和機の据付け壁の近く領域には短い上下風向板で少量の風を送り、比較的在室者が多いと考えられる空気調和機の前方の領域には長い上下風向板で多量の風を送ることができ、空気調和機の前方と後方の両方に夫々適量の風を送って、在室者間の快適性のバランスをとることができる。
【０１２５】
このため、空気調和機の前方と後方の送風量のバランスが良くなる空気調和機を得ることができる。
【０１２６】
また、請求項８記載の空気調和機によれば、後方の上下風向板の上方に少なくとも左右風向板の一部が配置される。
【０１２７】
これにより、１枚の上下風向板の時よりも左右風向板の偏向面積が広くなり、風向の偏向がより確実に行われ、室内の空調が充実したものになる。
【０１２８】
このため、左右風向の偏向がより確実になって、充実した室内の空調が行われる空気調和機を得ることができる。
【符号の説明】
【０１２９】
１  空気調和機
２  室内機
５  リモコン
６  室外機
８  接続配管
１０  制御装置
１４  赤外線検知装置
２０  筐体
２１  筐体ベース
２３  化粧枠
２３−１  センサ開口
２５  前面パネル
２５−１  枠体
２７  空気吸込み口
２９  空気吹出し口
３３  室内熱交換器
３５  露受皿
３７  ドレン配管
１３０  増幅器
１３１  コンパレータ
１３２  演算制御部
１４０  人検知センサ
１４０ａ  左人検知センサ
１４０ｃ  右人検知センサ
１９０  上下風向板制御部
１９１  上下風向板モータ
１９４  左右風向板制御部
１９５  左右風向板モータ
２２６  センサカバー
２３０  空気吸込み部
２３１  フィルタ
２９０  吹出し風路
２９０ａ  吹出し風路上壁
２９０ｂ  吹出し風路下壁
２９１  上下風向板
２９２  補助上下風向板
２９５  左右風向板
３１１  送風ファン
３９６  受光部
３９７  表示装置
４１０  赤外線センサ
４１０ａ〜４１０ｃ  赤外線センサａ〜ｃ
４１１  受光面
４１２  中心軸
４１５  台座
４１６  基板
４１７  フレネルレンズ
５１０ａ〜５１０ｃ  検知区域ａ〜ｃ
６１０Ａ  検知領域Ａ
６１０ＡＣ  検知領域ＡＣ
６１０Ｃ  検知領域Ｃ
９０２  室
Ａ〜Ｃ  領域
Ｄ  拡がり角
Ｅ  基板俯角
Ｆ  突出寸法
Ｇ，Ｈ  視野限界線
【図１】
2010190528.tif 000003
【図２】
2010190528.tif 000004
【図３】
2010190528.tif 000005
【図４】
2010190528.tif 000006
【図５】
2010190528.tif 000007
【図６】
2010190528.tif 000008
【図７】
2010190528.tif 000009
【図８】
2010190528.tif 000010
【図９】
2010190528.tif 000011
【図１０】
2010190528.tif 000012
【図１１】
2010190528.tif 000013
【図１２】
2010190528.tif 000014
【図１３】
2010190528.tif 000015
【図１４】
2010190528.tif 000016
【図１５】
2010190528.tif 000017
【図１６】
2010190528.tif 000018
【図１７】
2010190528.tif 000019
【図１８】
2010190528.tif 000020
【図１９】
2010190528.tif 000021
【図２０】
2010190528.tif 000022
【図２１】
2010190528.tif 000023
【手続補正書】
【提出日】平成21年10月22日(2009.10.22)
【手続補正１】
【補正対象書類名】明細書
【補正対象項目名】００２２
【補正方法】変更
【補正の内容】
【００２２】
本発明が解決しようとする課題は、空気吸込口及び空気吸込口よりも下方に配置された空気吹出口を有する筐体と、筐体内に配置された熱交換器と、室内の空気を空気吸込口から吸い込み熱交換器を通してから空気吹出口から吹き出す送風ファンと、送風ファンと空気吹出口との間に設けられた左右風向板及び上下風向板と、室内の人を検知するための赤外線センサと、を備えた空気調和機において、赤外線センサが、筐体の前面であって左右方向の略中央部に配置され、且つ、赤外線センサの受光面が、空気吹出口よりも前方且つ上方に配置されることにより達成される。
【手続補正２】
【補正対象書類名】特許請求の範囲
【補正対象項目名】全文
【補正方法】変更
【補正の内容】
【特許請求の範囲】
【請求項１】
空気吸込口及び前記空気吸込口よりも下方に配置された空気吹出口を有する筐体と、前記筐体内に配置された熱交換器と、室内の空気を前記空気吸込口から吸い込み前記熱交換器を通してから前記空気吹出口から吹き出す送風ファンと、前記送風ファンと前記空気吹出口との間に設けられた左右風向板及び上下風向板と、前記室内の人を検知するための赤外線センサと、を備えた空気調和機において、
前記赤外線センサが、前記筐体の前面であって左右方向の略中央部に配置され、且つ、前記赤外線センサの受光面が、前記空気吹出口よりも前方且つ上方に配置されたことを特徴とする空気調和機。
【請求項２】
請求項１において、前記赤外線センサの視野が前記上下風向板により妨げられない位置に、前記赤外線センサが配置されることを特徴とする空気調和機。
【請求項３】
請求項１において、前記赤外線センサの視野が前記赤外線センサの前方下方，直下、及び後方下方を含むように、前記赤外線センサが配置されることを特徴とする空気調和機。
【請求項４】
請求項１において、前記赤外線センサの前記空気調和機前方の視野が前記空気調和機後方の視野より広いことを特徴とする空気調和機。
【請求項５】
請求項１において、前記上下風向板により、少なくとも一部の風向を前記空気吹出口より後方下方に向けることを特徴とする空気調和機。
【請求項６】
請求項１において、少なくとも一枚の上下風向板を、前記空気吹出口に対して後方下方に向けることを特徴とする空気調和機。
【請求項７】
請求項１において、前記上下風向板は第１の上下風向板と前記第１の上下風向板よりも前記空気吹出口側に配置された第２の上下風向板とを備え、前記第１の上下風向板の翼長は前記第２の上下風向板の翼長より短いことを特徴とする空気調和機。
【請求項８】
請求項１において、前記第１の上下風向板の上方に少なくとも左右風向板の一部が配置されることを特徴とする空気調和機。